(57)【要約】      （修正有）【課題】バンド部材の内部にマグネットを遊動しないように封入することができ、しかも、取り付けるボールマーカーの選択を比較的自由に行うことができ、さらに、片手だけの場合のみならず、両手に着用する場合であっても、意匠的に良好なものを得ることができるゴルフ用手袋を提供する。【解決手段】手袋本体の固着部に対して着脱されるバンド部材の表面上にボールマーカー２０が磁着されるようにしたゴルフ用手袋において、前記バンド部材は、可撓性を有する一体成形物である上部層１４と、面ファスナーである下部層１６と、前記上部層および前記下部層の間において前記上部層１４の裏面に固定状態にされた薄いマグネット１８とから構成される。又、前記上部層には、前記裏面の中央部に開口した凹部が形成されており、前記マグネット１８が、前記凹部に収納されて、前記下部層により前記凹部が封止されているようにする。【選択図】図３
0003165735.tif 000002
【実用新案登録請求の範囲】
【請求項１】
手袋本体の固着部に対して着脱されるバンド部材の表面上にボールマーカーが付着されるようにしたゴルフ用手袋において、
前記バンド部材は、可撓性を有する一体成形物である上部層と、面ファスナーである下部層と、前記上部層および前記下部層の間において前記上部層の裏面に固定状態にされた薄いマグネットとから構成されたものであり、
前記上部層には、前記裏面の中央部に開口した凹状の収納部が形成されており、前記マグネットが前記収納部に収納されて、前記下部層により前記収納部が封止されていることを特徴とするゴルフ用手袋。
【請求項２】
請求項１記載のゴルフ用手袋において、
前記収納部が、前記上部層の表面の上方に向けて凸状に形成されていることを特徴とするゴルフ用手袋。
【請求項３】
請求項１または２記載のゴルフ用手袋において、
前記上部層の表面に対し文字、数字、記号、マーク、図形、絵柄および模様からなる群から選択される少なくとも１種が一体成形によって形成されていることを特徴とするゴルフ用手袋。
【考案の詳細な説明】
【技術分野】
【０００１】
本考案は、ゴルフをする時に着用されるゴルフ用手袋に関し、特に、ボールマーカーが付着できるゴルフ用手袋に関する。
【背景技術】
【０００２】
ゴルフコースにおいてゴルフをする時、プレーヤーは、グリーン上では自分のプレー順になるまでゴルフボールを拾い上げておくのが通常である。ゴルフボールを拾い上げるには、ボール位置をマークすることが必要となり、メダル状のボールマーカーを置いてマークすることが多く行われている。そのため、プレーヤーは、ボールマーカーを衣服のポケットに入れることや、衣服等にクリップで取り付けできる保持具を用いることにより携帯している。また、クリップ付き保持具によるのではなく、ボールマーカーをゴルフ用手袋に直接保持することも提案されている（特許文献１、特許文献２）。
【０００３】
特許文献１に開示されたゴルフ用手袋は、本体の甲部側に付設された緊締ベルト片の内部に扁平マグネットを封入し、緊締ベルト片の表面側にボールマーカーを磁着させるようにしており、特許文献２のゴルフ用手袋は、甲部覆い片の表面側に、挿入部を有するボールマーカー取付個所を形成し、ボールマーカーを挿入部に対して磁着させるようにしている。
【先行技術文献】
【特許文献】
【０００４】
【特許文献１】実用新案登録第３１０７３９３号公報
【特許文献２】特開２００７−２９３１８号公報
【考案の概要】
【考案が解決しようとする課題】
【０００５】
ゴルフ用手袋は、天然皮革、合成皮革、布生地等を用いて作製されており、特許文献１に示された緊締ベルト片についても、同様の素材で作製されていることから、緊締ベルト片の内部に封入している扁平マグネットが遊動するのを防ぐために、両面粘着テープにより粘着する方法が挙げられているが、粘着が剥がれると遊動してしまう恐れがある。また、扁平マグネットの周囲をミシン掛けによって縫着する方法も挙げられているが、緊締ベルト片の表面側の中央領域に縫い目が形成されることになり、意匠的にあまり好ましくない。
【０００６】
特許文献２に示されたゴルフ用手袋は、少なくとも２つに分断した隆起部に挟まれた挿入部に対しはめ込むことにより、ボールマーカーを取り付けるので、ボールマーカーとしては、挿入部の大きさに応じたものしか使用できず、自分の好みにより選択できない。また、利き手ではない方の片手だけにゴルフ用手袋を着用するプレーヤーが多いものの、左右両手に着用するプレーヤーもおり、特許文献２のゴルフ用手袋を左右両手に着用する場合に、利き手ではない方だけをボールマーカー付きにすると、もう一方との間で意匠的にバランスが悪い。左右両手をボールマーカー付きで合わせればよいが、ボールマーカーが１個余分となるので、不経済である。
【０００７】
本考案は、上記した従来技術の問題点を解決するためになされたものであり、バンド部材の内部にマグネットを遊動しないように封入することができ、しかも、取り付けるボールマーカーの選択を比較的自由に行うことができ、さらに、片手だけの場合のみならず、両手に着用する場合であっても、意匠的に良好なものを得ることができるゴルフ用手袋を提供することを目的とする。
【課題を解決するための手段】
【０００８】
請求項１記載の考案に係るゴルフ用手袋は、手袋本体の固着部に対して着脱されるバンド部材の表面上にボールマーカーが付着されるようにしたゴルフ用手袋において、前記バンド部材は、可撓性を有する一体成形物である上部層と、面ファスナーである下部層と、前記上部層および前記下部層の間において前記上部層の裏面に固定状態にされた薄いマグネットとから構成されたものであり、前記上部層には、前記裏面の中央部に開口した凹状の収納部が形成されており、前記マグネットが前記収納部に収納されて、前記下部層により前記収納部が封止されていることを特徴とする。
【０００９】
請求項２記載の考案に係るゴルフ用手袋は、前記収納部が、前記上部層の表面の上方に向けて凸状に形成されていることを特徴とする。
【００１０】
請求項３記載の考案に係るゴルフ用手袋は、前記上部層の表面に対し文字、数字、記号、マーク、図形、絵柄および模様からなる群から選択される少なくとも１種が一体成形によって形成されていることを特徴とする。
【考案の効果】
【００１１】
本考案によれば、ボールマーカーを磁着させるためのマグネットが、バンド部材の内部に形成されている収納部に収納されて封止されていることにより、マグネットの遊動が起きることがなくなる。ボールマーカーをはめ込んで取り付けるものではないので、所定のボールマーカー以外のものでも用いることができ、また、左右両手に着用し、一方だけをボールマーカー付きにしても、左右両手の意匠的バランスが損なわれることはない。
【００１２】
マグネットが収納される収納部が、上部層の表面の上方に向けて凸状に形成される場合、上部層の表面の中央部に凸状部分が形成されることになり、この凸状部分に対してボールマーカーをずれることなく取り付けるだけで、ボールマーカーが簡単に外れ落ちることはない。
【図面の簡単な説明】
【００１３】
【図１】本考案の実施形態に係るゴルフ用手袋を手甲部側から見た図である。
【図２】図１に示すゴルフ用手袋のバンド部材の平面図である。
【図３】図２のＡ‐Ａ’線に沿った概略拡大断面図である。
【考案を実施するための形態】
【００１４】
本考案の実施形態に係るゴルフ用手袋について、図面を参照して説明する。
【００１５】
本考案の実施形態に係るゴルフ用手袋１０は、図１に示すように、手袋本体の固着部に対して着脱されるバンド部材１２が設けられ、このバンド部材１２の表面上にボールマーカー２０が付着されるものである。
【００１６】
バンド部材１２は、図３に示すように、上部層１４、下部層１６およびマグネット１８から構成されている。下部層１６は、面ファスナーが用いられたものであり、これにより手袋本体の固着部に設けられた他方の面ファスナーに対しバンド部材１２が着脱可能にされている。上部層１４は、ゴム、合成樹脂等の材料から可撓性を有する一体成形物として形成されたものである。そして、ボールマーカー２０を磁着させるようにするため、下部層１６と上部層１４との間に薄いマグネット１８が、上部層１４の裏面の中央部に形成された凹状の収納部２２に収納されて、接着性または粘着性を有する材料によって固定された状態にされており、さらに、収納部２２を封止するように上部層１４と下部層１６とが接着されている。なお、バンド部材１２は、その一端部が手袋本体のスリットの縁部に縫い着けられている。
【００１７】
前記したマグネット１８は、バンド部材１２の表面上にボールマーカー２０を付着させるための磁力を有しているものであれば、特に限定されるものではないが、ゴム等を基材としてマグネット粉末が練り込まれたような軟質のものであれば、バンド部材１２の可撓性が悪くなることがないので、装着感の良好な手袋を得ることができる。この実施形態において、マグネット１８の平面形状は円形とされているが、四角形、楕円形等、円形以外の形状とされてもよい。マグネット１８の平面形状と同様に、バンド部材１２に付着させるボールマーカー２０の平面形状についても限定されない。
【００１８】
マグネット１８の収納部は、図３に示すように、上部層１４の裏面に開口した凹状であるとともに、上部層１４の表面の上方に向けて凸状に形成されており、これにより上部層１４の表面の中央部が、その周囲部よりも突出した形状にされている。このような凸状部分がボールマーカー２０の取付個所とされており、凸状部分の平面頂部に対してボールマーカー２０をずれることなく付けることで、ボールマーカー２０が外れて落ちることはない。さらに、凸状部分の平面頂部からボールマーカー２０の周縁部の一部がずれた状態で付けるようにすると、凸状部分の平面頂部に付いていないボールマーカー２０の周縁部の一部と凸状部分の周囲部との間に空間ができるので、ボールマーカー２０を取り外すときに、その空間に指先を入れることで素早く剥がして外すこともできる。この凸状部分の高さは約２ｍｍ程度に形成されており、この程度の高さに形成されていれば、指先を入れる空間を得ることができる。
【００１９】
また、この実施形態のゴルフ用手袋１０では、上部層１４の表面、具体的には上部層１４中央の表面に、上部層１４を成形するのと同時に文字２４が一体に形成されている。上部層１４の表面に対し一体成形により形成されるのは、文字の他に数字、記号、マーク、図形、絵柄および模様を含む群から選択される少なくとも１種であってもよい。上部層１４の表面に前記した凸状部分が形成されない場合でも、文字等の形成によってボールマーカー２０の取付個所をわかり易くすることができる。また、図形、絵柄、模様等が形成されていれば、ボールマーカー２０が外された状態であっても、意匠的に良好なものとして使用できる。
【符号の説明】
【００２０】
１０…手袋
１２…バンド部材
１４…上部層
１６…下部層
１８…マグネット
２０…ボールマーカー
２２…収納部
２４…文字
【図１】
0003165735.tif 000003
【図２】
0003165735.tif 000004
【図３】
0003165735.tif 000005